(57)【要約】【課題】  汎用複合装置においてもコスト上昇を伴わずにＦｌａｔｂｅｄ読取部１２から連続してＦＡＸ送信を可能にすること。【解決手段】  ＡＤＦ原稿検出手段２０ｃは、ＡＤＦ読取部１１に搭載される原稿を検出し、送受信選択手段２０ｂは、外付け電話機２５のＨｏｏｋ  Ｕｐを検出すると、ガイダンス表示手段２０ａにファクシミリ受信及びファクシミリ送信の何れか一方の選択を要求する送受信選択要求ガイダンスを表示させ、第１の操作ボタンが操作されるとファクシミリ送信を選択し、第２の操作ボタンが操作されるファクシミリ受信を選択し、Ｆｌａｔｂｅｄ読取開始手段２０ｄは、ＡＤＦ原稿検出手段２０ｃが原稿の搭載有りを検出している場合を除き、Ｆｌａｔｂｅｄ読取部１２による原稿読み取りを開始させる。【選択図】  図２
2008199078.tif 000002
【特許請求の範囲】
【請求項１】
平面読取部と、原稿連続搬送読取部と、ファクシミリ機能のガイダンスを表示するガイダンス表示手段と、前記ガイダンス表示手段の表示に基づいてファクシミリ機能を進行させる、第１の操作ボタン、第２の操作ボタン、及び第３の表示ボタンとを有する画像処理装置であって、
前記原稿連続搬送読取部に搭載される原稿を検出する連続搬送原稿検出手段と、
接続された電話機のＨｏｏｋ  Ｕｐを検出すると、前記ガイダンス表示手段にファクシミリ受信及びファクシミリ送信の何れか一方の選択を要求する送受信選択要求ガイダンスを表示させ、前記第１の操作ボタンが操作されるとファクシミリ送信を選択し、前記第２の操作ボタンが操作されるとファクシミリ受信を選択する送受信選択手段と、
前記ファクシミリ送信が選択されると、前記ガイダンス表示手段に原稿読み取りの進行状態を表示する原稿読取ガイダンスを表示させ、前記第３の操作ボタンが操作されると前記連続搬送原稿検出手段が前記原稿の搭載有りを検出している場合を除き、前記平面読取部による原稿読み取りを開始させる平面読取開始手段とを備えることを特徴とする画像処理装置。
【請求項２】
前記原稿連続搬送読取部は、前記連続搬送原稿検出手段が、前記送受信選択手段によるファクシミリ送信が選択された後に前記原稿連続搬送読取部への連続搬送読取原稿の搭載有りを検出すると、前記平面読取部による読み取りに優先し、搭載された連続搬送読取原稿の読み取りを開始することを特徴とする請求項１に記載の画像処理装置。
【請求項３】
前記平面読取開始手段は、
前記原稿連続搬送読取部が、連続搬送読取原稿の読み取りを終了すると、再度前記平面読取部による読み取りを開始させることを特徴とする請求項２に記載の画像処理装置。
【請求項４】
前記原稿連続搬送読取部が読み取った原稿読取データと、前記平面読取部が読み取った原稿読取データとを所定の出力サイズに集約・編集する集約編集手段を更に備えること特徴とする請求項３に記載の画像処理装置。
【発明の詳細な説明】
【技術分野】
【０００１】
本発明は、画像処理装置に関し、特に、ファクシミリ機能及び画像読み取り機能を有する画像処理装置に関する。
【背景技術】
【０００２】
従来、ファクシミリ機能及び画像読み取り機能を有し、Ａ４サイズ以下の原稿を処理する画像処理装置（以下、汎用複合装置と記す）では、原稿画像を連続的に平面読取部であるＦｌａｔｂｅｄ読取部で読み取って、直接ファクシミリ送信することは出来なかった。ローコスト化を図るためにＦｌａｔｂｅｄ読取部の構成を簡素化し、原稿画像の連続読み取り送信機能は、原稿連続搬送読取部（Ａｕｔｏ  Ｄｏｃｕｍｅｎｔ  Ｆｅｅｄｅｒ、以下原稿連続搬送読取部と記す）のみの機能として構成されていたからである。
【特許文献１】特開平１１−８８６１５号公報
【特許文献２】特開２０００−２６１６２４号公報
【発明の開示】
【発明が解決しようとする課題】
【０００３】
しかしながら、書籍などの内容を複数ページ連続して送信する場合には、一旦平面読取部で読取原稿を取得し、更に印刷し、印刷したものを原稿としてまとめて原稿連続搬送読取部に搭載しなければならないために、余分な手間を必要としていた。本発明の目的は、汎用複合装置においてもコスト上昇を伴わずに平面読取部から連続してＦＡＸ送信を可能にすることである。
【課題を解決するための手段】
【０００４】
本発明は、平面読取部と、原稿連続搬送読取部と、ファクシミリ機能のガイダンスを表示するガイダンス表示手段と、上記ガイダンス表示手段の表示に基づいてファクシミリ機能を進行させる、第１の操作ボタン、第２の操作ボタン、及び第３の表示ボタンとを有する画像処理装置であって、上記原稿連続搬送読取部に搭載される原稿を検出する連続搬送原稿検出手段と、接続された電話機のＨｏｏｋ  Ｕｐを検出すると、上記ガイダンス表示手段にファクシミリ受信及びファクシミリ送信の何れか一方の選択を要求する送受信選択要求ガイダンスを表示させ、上記第１の操作ボタンが操作されるとファクシミリ送信を選択し、上記第２の操作ボタンが操作されるとファクシミリ受信を選択する送受信選択手段と、上記ファクシミリ送信が選択されると、上記ガイダンス表示手段に原稿読み取りの進行状態を表示する原稿読取ガイダンスを表示させ、上記第３の操作ボタンが操作されると上記連続搬送原稿検出手段が上記原稿の搭載有りを検出している場合を除き、上記平面読取部による原稿読み取りを開始させる平面読取開始手段とを備えることを主要な特徴とする。
【発明の効果】
【０００５】
本発明の画像処理装置は、接続された電話機のＨｏｏｋ  Ｕｐを検出すると、上記ガイダンス表示手段にファクシミリ受信及びファクシミリ送信の何れか一方の選択を要求する送受信選択要求ガイダンスを表示させる送受信選択手段と、上記第１の操作ボタンが操作されるとファクシミリ送信を選択し、続いて、上記第３の操作ボタンが操作されると上記連続搬送原稿検出手段が上記原稿の搭載有りを検出している場合を除き、上記平面読取部による原稿読み取りを開始させる平面読取開始手段とを備えるので、汎用複合装置においてもコスト上昇を伴わずに平面読取部から連続してＦＡＸ送信が可能になるという効果を得る。
【発明を実施するための最良の形態】
【０００６】
以下、本発明の一実施形態を図を用いて詳細に説明する。
【実施例１】
【０００７】
（構成）の説明
図１は、本発明による画像処理装置の外観図である。
（ａ）は、画像処理装置としての汎用複合機１００の側面図であり、（ｂ）は、画像処理装置としての汎用複合機１００のカバーを開いた状態の側面斜視図であり、（ｃ）は、画像処理装置としての汎用複合機１００に接続される印刷装置４０の側面斜視図である。ここで汎用複合機１００とは、上記のようにファクシミリ機能及び画像読み取り機能を有し、Ａ４サイズ以下の原稿を処理する画像処理装置を指すものとする（以下の説明でも同様とする）。
【０００８】
（ａ）においてＡＤＦ読取部１１は、複数枚の原稿画像を連続して読み取る自動原稿送り装置（Ａｕｔｏ  Ｄｏｃｕｍｅｎｔ  Ｆｅｅｄｅｒ、以下ＡＤＦと記す）であり、その内部に読取センサ１１ａと、原稿検出センサ１１ｂと、原稿検出センサ１１ｃと、モータ１１ｄと、モータ１１ｅと、原稿検出センサ１１ｆと有する。
【０００９】
読取センサ１１ａは、ＡＤＦ読取部１１にセットされた原稿画像を読み取るセンサである。原稿検出センサ１１ｂは、原稿１４がＡＤＦ読取部１１にセットされたことを検出するセンサである。原稿検出センサ１１ｃは、原稿１４の先端が読取開始位置（読取センサ１１ａの真上）にきたことを検出するセンサである。モータ１１ｄは、原稿の先端を読取開始位置までフィードするためのモータである。モータ１１ｅは、原稿読取中に原稿をフィードするためのモータである。原稿検出センサ１１ｆは、原稿排出終了を検出するセンサである。
【００１０】
ここでモータ１１ｄは、読取センサ１１ａがＯＮになると起動し、読取センサ１１ａがＯＦＦになったとき、読取センサ１１ａがＯＮになり指定時間過ぎても原稿検出センサ１１ｃがＯＦＦのとき停止する。このとき装置はミスフィードと判断されエラーメッセージがＬＣＤ（１３ａ）に表示される。但し、読取センサ１１ａと原稿検出センサ１１ｃがともにＯＦＦになったときは停止し、上記エラーメッセージは消される。同様にモータ１１ｄは、原稿検出センサ１１ｃがＯＮになってすぐにＯＦＦになったときに停止する。このとき装置はジャムと判断され、エラーメッセージがＬＣＤ（１３ａ）に表示される。但し、原稿検出センサ１１ｂと原稿検出センサ１１ｃとがともにＯＦＦになったときは上記エラーメッセージは消される。更に、モータ１１ｅは、原稿読み取り中に原稿をフィードするが読取センサ１１ａ、原稿検出センサ１１ｃ、及び原稿検出センサ１１ｆ、がＯＦＦになると一定時間後に停止する。
【００１１】
汎用複合機１００の側面には、装置を電話回線２４へ接続するインタフェース２１と、装置を外付け電話機２５へ接続するインタフェース２２と、装置を印刷装置４０へ接続するインタフェース２３が装着されている。
【００１２】
（ｂ）においてＦｌａｔｂｅｔ読取部１２は、本などの冊子状の原稿の画像を読み取る部分であって、その内部にガラス板１２ａと読取センサ１２ｂとを有する。ガラス板１２ａは、原稿を載置するための透明なガラス板である。読取センサ１２ｂは、ガラス板１２ａ上に載置された原稿を走査しながら光を照射し、原稿からの反射光をガラス板１２ａを通して検出する光センサである。
【００１３】
更に、（ｂ）においてオペレーションパネル１３は、操作者による汎用複合機１００への情報入力、及び制御を可能にする操作盤であり、その内部にＬＣＤ１３ａと、コピーモードボタン１３ｂと、ＦＡＸモードボタン１３ｃと、十字ボタン１３ｄと、Ｓｔａｒｔボタン１３ｅと、Ｓｔｏｐボタン１３ｆと、Ｍａｎｕａｌ  Ｆｅｅｄボタン１３ｇと、Ｔｅｎキー１３ｈと、ＯＫボタン１３ｉとを有する。
【００１４】
ＬＣＤ１３ａは、オペレーションの遷移やエラーメッセージなど、文字・数字・記号を表示する液晶表示装置である。コピーモードボタン１３ｂは、操作者が押下することによってコピーモードに移行するボタンである。ＦＡＸモードボタン１３ｃは、操作者が押下することによってＦＡＸモードに移行するボタンである。十字ボタン１３ｄは、ＬＣＤ３ａに表示されたカーソルを遷移するときに使用するボタンである。
【００１５】
Ｓｔａｒｔボタン１３ｅは、ＦＡＸモードのときメモリ読み取り（読み取った画像データが記憶部１８に記憶される）を開始するボタンである。又、Ｍａｎｕａｌ  Ｆｅｅｄモード（連続読み取りモード）のときに、記憶部１８に記憶された読取画像データを読み取った順にまとめて電話回線２へ送出するボタンである。更に、コピーモードのときはコピー制御を開始するボタンである。
【００１６】
Ｓｔｏｐボタン１３ｆは、現在のオペレーションを中断するボタンである。Ｍａｎｕａｌ  Ｆｅｅｄボタン１３ｇは、連続読取モードに移行して読み取りを開始するボタンである。Ｔｅｎキー１３ｈは、文字・記号を入力するボタンである。ＯＫボタン１３ｉは、操作を確定させるためのボタンである。
【００１７】
図２は、実施例１の汎用複合機の構成のブロック図である。
図に示すように、実施例１の汎用複合機１００は、ＡＤＦ読取部１１と、Ｆｌａｔｂｅｔ読取部１２と、オペレーションパネル１３と、データ送受信部１７と、記憶部１８と、ＦＡＸ制御部１９と、制御部２０を備える。
【００１８】
ＡＤＦ読取部１１と、Ｆｌａｔｂｅｔ読取部１２と、オペレーションパネル１３は、既に図１で説明したので再度の説明を省略する。データ送受信部１７は、外部機器とローカルでデータ送受信を行う部分である。記憶部１８は、ＡＤＦ読取部１１、または、Ｆｌａｔｂｅｔ読取部１２で読み取った画像データを記憶するメモリである。
【００１９】
ＦＡＸ制御部１９は、制御部２０の制御に基づいて汎用複合機１００のファクシミリ機能を制御する部分であり、その内部に送信制御手段１９ａと、受信制御手段１９ｂ、回線捕捉手段１９ｃと、ＦＡＸデータ作成手段１９ｄとを有する。更に、ＦＡＸ制御部１９は、汎用複合機１００と電話回線２４、及び外付け電話機２５とを接続する部分でもある。
【００２０】
ここで送信制御手段１９ａは、ファクシミリの送信制御を行うための手段である。受信制御手段１９ｂはファクシミリの受信制御を行う手段である。回線捕捉手段１９ｃは、ファクシミリ回線の接続管理を行う手段である。ＦＡＸデータ作成手段１９ｄは、記憶部１８に記憶されている画像データを用いて、外部へＦＡＸ送信するためのファイルを作成する手段である。
【００２１】
制御部２０は、図示しないＲＯＭとマイクロプロセッサとを有し、ＲＯＭに予め格納されている所定の制御プログラムを実行することによって汎用複合機１００全体の制御を行う部分である。その内部に、ガイダンス表示手段２０ａと送受信選択手段２０ｂと、ＡＤＦ原稿検出手段２０ｃと、Ｆｌａｔｂｅｄ読取開始手段２０ｄとを有する。
【００２２】
ガイダンス表示手段２０ａは、ＬＣＤ１３ａ（図２）に所定のガイダンスを表示して装置内部の制御状態を操作者に知らせながらファクシミリ機能をガイドする手段である。送受信選択手段２０ｂは、回線捕捉手段１９ｃが外付け電話機２５のＨｏｏｋ  Ｕｐを検出すると、ガイダンス表示手段２０ａを制御して送受信選択要求ガイダンスをＬＣＤ１３ａに表示させ、操作者がＯＫボタン１３ｉ（図１）を押下するとファクシミリ受信を選択し、操作者がＳｔａｒｔボタン１３ｅ（図１）を押下するとファクシミリ送信を選択する手段である。
【００２３】
ＡＤＦ原稿検出手段２０ｃは、ＡＤＦ読取部１１に搭載された原稿の有無を検出する手段である。この手段は原稿検出センサ１１ｂ（図１）を有し搭載された原稿がある場合にはＯＮになる。Ｆｌａｔｂｅｄ読取開始手段２０ｄは、送受信選択手段２０ｂによりファクシミリ送信が選択され、ＡＤＦ原稿検出手段２０ｃが原稿の搭載無しを検出しているときに操作者がＭａｎｕａｌ  Ｆｅｅｄボタン１３ｇを押下することによりＦｌａｔｂｅｄ読取部１２による原稿読み取りを可能にする手段である。
【００２４】
尚、汎用複合機１００にインタフェース２３（図１）を介して接続される印刷装置４０は、印刷部４１と、データ送受信部４２と、制御部４３とを有し、汎用複合機１００から受け入れた画像データを印刷する装置である。
以上説明した汎用複合機１００は以下のように動作する。
【００２５】
（動作）の説明
操作者が汎用複合機１００（図２）に接続されている外付け電話機２５（図２）をＨｏｏｋ  Ｕｐして、動作を開始するのは、次の４つの場合が考えられる。（１）電話が鳴ってＨｏｏｋ  Ｕｐすると、相手がＦＡＸ装置であり、受信する必要がある場合。（２）相手が人であり、会話目的に電話をしてきた場合、もしくは、こちらから電話を掛けた場合。（３）電話をしている最中に、ＦＡＸ送信する場合であって、ＡＤＦ読取部１１（図２）から原稿を送る場合。（４）電話をしている最中に、ＦＡＸ送信する場合で、Ｆｌａｔｂｅｄ読取部１２（図２）から原稿を送る場合。ここでは、ＦＡＸ機能に該当する（１）、（３）、（４）の動作について説明する。
【００２６】
図３は、実施例１の動作を示すフローチャートである。
図４は、実施例１の動作に対応するＬＣＤ表示の説明図である。
ここで図４は、図３の個々のフローにおいてガイダンス表示手段２０ａによってＬＣＤ１３ａ（図２）に表示されるガイダンスを表している。実施例１の動作について図３のステップＳ１からステップＳ１７まで、図２、及び図３を併用しながらステップ順に説明する。
【００２７】
ステップＳ１−１
汎用複合機１００は待機状態であってＬＣＤ１３ａ（図２）には（Ｓ１−１）（図４）のガイダンスが表示されている。
【００２８】
ステップＳ１−２
操作者が外付け電話機２５（図２）をＨｏｏｋ  Ｕｐするまで待機し、操作者が外付け電話機２５（図２）をＨｏｏｋ  Ｕｐし、回線捕捉手段１９ｃが外付け電話機２５（図２）のＨｏｏｋ  Ｕｐを検出すると、ステップＳ１−３へ進む。
【００２９】
ステップＳ１−３
ＡＤＦ原稿検出手段２０ｃ（図２）がＡＤＦ読取部１１（図２）に原稿がセットされていない場合に、ガイダンス表示手段２０ａ（図２）が、ＬＣＤ１３ａ（図２）に、（Ｓ１−３）（図４）に示す「Ｒｅｃｅｉｖｉｎｇ  ＦＡＸ？  “ＯＫ”  ｔｏ  ｒｅｃｅｉｖｅ；  “Ｓｔａｒｔ”  ｔｏ  ｓｅｎｄ．」のガイダンスを表示する。ここで、外付け電話機２５（図２）からＦＡＸのＣａｌｌｉｎｇ信号（ＣＮＧ）を耳にすると、通常、操作者はＯＫボタン１３ｉを押してＦＡＸ受信の操作をするか、または、ＦＡＸのＣａｌｌｉｎｇの信号（ＣＮＧ）ではなく人であった場合は、会話をし、会話後にＳｔａｒｔボタン１３ｅを押してＦＡＸ送信することになる。
【００３０】
ステップＳ１−４
送受信選択手段２０ｂ（図２）は、操作者がＯＫボタン１３ｉ（図１）を押下した場合にはステップＳ１−６へ進み、それ以外の場合にはステップＳ１−５へ進む。
【００３１】
ステップＳ１−５
操作者がＳｔａｒｔボタン１３ｅ（図１）を押下するとＬＣＤ１３ａ（図２）には（Ｓ１―９）（図４）のガイダンスが表示されステップＳ１−７へ進む。それ以外の場合にはステップＳ１−２へ戻り、ステップＳ１−２〜ステップＳ１−５を繰り返し、操作者がＯＫボタン１３ｉ（図１）またはＳｔａｒｔボタン１３ｅ（図１）を押下するのを待って、ＯＫボタン１３ｉ（図１）が押下されるとステップＳ１−６へ、Ｓｔａｒｔボタン１３ｅ（図１）が押下されるとステップＳ１−７へ、それぞれ抜ける。
【００３２】
ステップＳ１−６
受信制御手段１９ｂ（図２）はＦＡＸ受信を開始する。そのときＬＣＤ１３ａ（図２）にはＲｅｃｉｅｖｉｎｇ  Ｆａｘ（Ｓ１−６）（図４）のガイダンスが表示され、ＦＡＸ受信が終了するとフローを終了し待機状態に戻る。
【００３３】
ステップＳ１−７
Ｆｌａｔｂｅｄ読取部１２（図２）はセットされているページ原稿の読み取りを開始する。
【００３４】
ステップＳ１−８
Ｆｌａｔｂｅｄ読取部１２（図２）は、読取センサ１２ｂを動かしながら読み取りを行い、読み取った画像データを読み取り順に記憶部１８に記憶する。
【００３５】
ステップＳ１−９
（Ｓ１−９）（図４）に示すＭａｎｕａｌ  Ｆｅｅｄボタン押下の印が点灯している場合にはステップＳ１−１０へ進み、Ｍａｎｕａｌ  Ｆｅｅｄボタン押下の印が点灯していない場合にはステップＳ１−１４へ進む。
【００３６】
ステップＳ１−１０
Ｆｌａｔｂｅｄ読取部１２（図２）は、ページ原稿の読み取りが終了するまで読み取りを継続し、ページ原稿の読み取りが終了するとステップＳ１−１１へ進む。ここではガイダンスが（Ｓ１−９）（図４）から（Ｓ１−１０）（図４）に変化してＬＣＤ１３ａ（図２）に表示される。
【００３７】
ステップＳ１−１１
ＬＣＤ１３ａ（図２）には、次ページ原稿を読み取るか／読み取り終了するかの選択表示がなされる。ここでは（Ｓ１−１１）（図４）のガイダンスがＬＣＤ１３ａ（図２）に表示されステップＳ１−１２へ進む。
【００３８】
ステップＳ１−１２
操作者が、読み取りを終了して送信するためにはＳｔａｒｔボタン１３ｅ（図１）を押下してステップＳ１−１５へ進み、次ページ原稿を読み取るためにはＳｔａｒｔボタン１３ｅ（図１）を押下せずにステップＳ１−１３へ進む。
【００３９】
ステップＳ１−１３
操作者により、読み取り終了のページ原稿が取り除かれ、次ページ原稿がセットされ、Ｍａｎｕａｌ  Ｆｅｅｄボタン１３ｇ（図１）が押下されるとステップＳ１−７へ戻って次ページ原稿の読み取りが開始され、押されない場合には、ステップＳ１−１２へ戻って、ステップＳ１−１２、ステップＳ１−１３を繰り返し、Ｓｔａｒｔボタン１３ｅ（図１）が押下されるとステップＳ１−１５へ抜ける。あるいはまたＭａｎｕａｌ  Ｆｅｅｄボタンが押下されるとステップＳ１−７へ抜ける。
【００４０】
ステップＳ１−１４
Ｆｌａｔｂｅｄ読取部１２（図２）はページ原稿の読み取りが終了するまで読み取りを継続し、ページ原稿の読み取りが終了するとステップＳ１−１５へ進む。
【００４１】
ステップＳ１−１５
ＦＡＸデータ作成手段１９ｄ（図２）は記憶部１８（図２）に格納されている画像データを読みだしてＦＡＸ送信可能なファイルに変換し、送信制御手段１９ａが所定の宛先へこのファイルの送信を開始する。このとき（Ｓ１−１５）（図４）のガイダンスがＬＣＤ１３ａ（図２）に表示される。
【００４２】
ステップＳ１−１６
画像データの送信が終了する。ＬＣＤ１３ａには（Ｓ１−１６）（図４）のガイダンスが表示される。
【００４３】
ステップＳ１−１７
フローは終了し、待機状態へ戻る。
【００４４】
（効果）の説明
以上説明したように、本実施例によれば、汎用複合装置においても、装置のコストアップを伴わずに、原稿画像を連続的にＦｌａｔｂｅｄ読取部で読み取って、直接ファクシミリ送信することが可能になるという効果を得る。
【実施例２】
【００４５】
上記実施例１では、汎用複合装置においても、装置のコストアップを伴わずに、原稿画像をＦｌａｔｂｅｄ読取部で読み取って、直接ファクシミリ送信することを主な機能として説明した。本実施例では、実施例１と同様な構成で、送受信の選択表示をしているときに（上記ステップＳ１−３〜ステップＳ１−５）、ＡＤＦ読取部１１（図２）に原稿をセットすることにより、ＡＤＦ読取部１１（図２）からの読み取りを開始し、ファクシミリ送信をすることを主な機能として説明する。ここでは、実施例１と同一構成の汎用複合装置を用いるので構成の説明を省略し以下に動作の説明のみを行う。
【００４６】
（動作）の説明
操作者が汎用複合機２００（図２）に接続されている外付け電話機２５（図２）をＨｏｏｋ  Ｕｐして、動作を開始するのは、次の４つの場合が考えられる。（１）電話が鳴ってＨｏｏｋ  Ｕｐすると、相手がＦＡＸ装置であり、受信する必要がある場合。（２）相手が人であり、会話目的に電話をしてきた場合、もしくは、こちらから電話を掛けた場合。（３）電話をしている最中に、ＦＡＸ送信する場合であって、ＡＤＦ読取部１１（図２）から原稿を送る場合。（４）電話をしている最中に、ＦＡＸ送信する場合で、Ｆｌａｔｂｅｄ読取部１２（図２）から原稿を送る場合。ここでは、ＦＡＸ機能に該当する（１）、（３）、（４）の動作について説明する。
【００４７】
図５は、実施例２の動作を示すフローチャートである。
実施例２の動作について図５のステップＳ２−１からステップＳ２−８まで、図２を併用しながらステップ順に説明する。
【００４８】
ステップＳ２−１
汎用複合機１００は待機状態であってＬＣＤ１３ａ（図２）には（Ｓ１−１）（図４）のガイダンスが表示される。
【００４９】
ステップＳ２−２
操作者が外付け電話機２５（図２）をＨｏｏｋ  Ｕｐするまで待機し、操作者が外付け電話機２５（図２）をＨｏｏｋ  Ｕｐし、回線捕捉手段１９ｃ（図２）が外付け電話機２５（図２）のＨｏｏｋ  Ｕｐを検出すると、ステップＳ２−３へ進む。
【００５０】
ステップＳ２−３
ＡＤＦ原稿検出手段２０ｃ（図２）がＡＤＦ読取部１１（図２）に原稿がセットされていない場合に、ガイダンス表示手段２０ａ（図２）が、ＬＣＤ１３ａ（図２）に、（Ｓ１−３）（図４）に示す「Ｒｅｃｅｉｖｉｎｇ  ＦＡＸ？  “ＯＫ”  ｔｏ  ｒｅｃｅｉｖｅ；  “Ｓｔａｒｔ”  ｔｏ  ｓｅｎｄ．」のガイダンスを表示する。ここで、外付け電話機２５（図２）からＦＡＸのＣａｌｌｉｎｇ信号（ＣＮＧ）を耳にすると、通常、操作者はＯＫボタン１３ｉを押してＦＡＸ受信の操作をするか、または、ＦＡＸのＣａｌｌｉｎｇの信号（ＣＮＧ）ではなく人であった場合は、会話をし、会話後にＳｔａｒｔボタン１３ｅを押してＦＡＸ送信することになる。
【００５１】
ステップＳ２−４
この時にＡＤＦ読取部１１（図２）に原稿がセットされたか否かを、ＡＤＦ原稿検出手段２０ｃ（図２）が監視し、セットされたときはステップＳ２−７へ進み、セットされないときはステップＳ２−５へ進む。
【００５２】
ステップＳ２−５
送受信選択手段２０ｂ（図２）は、操作者がＯＫボタン１３ｉ（図１）を押下した場合にはステップＳ２−８へ進み、それ以外の場合にはステップＳ２−６へ進む。
【００５３】
ステップＳ２−６
操作者がＳｔａｒｔボタン１３ｅ（図１）を押下するとＬＣＤ１３ａ（図２）には（Ｓ１―９）（図４）のガイダンスが表示され、図３で説明したステップＳ１−７へ進んで読み取りが開始され、以下実施例１と同様にステップＳ１−１７まで進んでフローを終了する。それ以外の場合にはステップＳ２−２へ戻り、操作者がＯＫボタン１３ｉ（図１）またはＳｔａｒｔボタン１３ｅ（図１）を押下するのを待って、ＯＫボタン１３ｉ（図１）が押下されるとステップＳ２−７へ、Ｓｔａｒｔボタン１３ｅ（図１）が押下されるとステップＳ１−７へ、それぞれ抜ける。
【００５４】
ステップＳ２−７
ＡＤＦ読取部１１（図２）はセットされた原稿の読み取りを開始し、通常のファクシミリの送信を行って送信終了後にフローを終了する。
【００５５】
ステップＳ２−８
受信制御手段１９ｂはＦＡＸ受信を開始する。そのときＬＣＤ１３ａ（図２）にはＲｅｃｉｅｖｉｎｇ  Ｆａｘ（Ｓ１−６）（図４）のガイダンスが表示され、ＦＡＸ受信が終了するとフローを終了する。
【００５６】
（効果）の説明
以上説明したように本実施例によれば、外付け電話機２５（図２）をＨｏｏｋ  Ｕｐした状態で、ファクシミリ受信をするか、Ｆｌａｔｂｅｄ読取部１２（図２）で読み取ってファクシミリ送信するかの選択表示をしているときに、ＡＤＦ読取部１１（図２）に原稿をセットすることにより、ＡＤＦ読取部１１（図２）から読み取りを開始し、ファクシミリ送信をすることを出来るようになるため、使い勝手が向上するという効果を得る。
【実施例３】
【００５７】
本実施例では、上記実施例１及び実施例２で説明した汎用複合機１００を用いてＡＤＦ読取原稿とＦｌａｔｂｅｄ読取原稿の混在処理を可能にする。ＡＤＦ読取原稿とＦｌａｔｂｅｄ読取原稿の混在処理を可能にする制御方法のみについて以下に説明する。その構成については、説明を省略する。
【００５８】
（動作）の説明
操作者が汎用複合機２００（図２）に接続されている外付け電話機２５（図２）をＨｏｏｋ  Ｕｐして、動作を開始するのは、次の４つの場合が考えられる。（１）電話が鳴ってＨｏｏｋ  Ｕｐすると、相手がＦＡＸ装置であり、受信する必要がある場合。（２）相手が人であり、会話目的に電話をしてきた場合、もしくは、こちらから電話を掛けた場合。（３）電話をしている最中に、ＦＡＸ送信する場合であって、ＡＤＦ読取部１１（図２）から原稿を送る場合。（４）電話をしている最中に、ＦＡＸ送信する場合で、Ｆｌａｔｂｅｄ読取部１２（図２）から原稿を送る場合。ここでは、ＦＡＸ機能に該当する  （１）、（３）、（４）の動作について説明する。
【００５９】
図６は、実施例３の動作を示すフローチャートである。
実施例３の動作について図６のステップＳ３−１からステップＳ３−２３まで、図２を併用しながらステップ順に説明する。
【００６０】
ステップＳ３−１
汎用複合機１００は待機状態であってＬＣＤ１３ａ（図２）には（Ｓ１−１）（図４）のガイダンスが表示されている。
【００６１】
ステップＳ３−２
操作者がＡＤＦ読取部１１（図２）に原稿をセットする。
【００６２】
ステップＳ３−３
操作者がＭａｎｕａｌ  Ｆｅｅｄボタン１３ｇ（図１）を押下するとステップＳ３−７へ進み、押下しない場合にはステップＳ３−４へ進む。
【００６３】
ステップＳ３−４
操作者がＳｔａｒｔボタン１３ｅ（図１）を押下する。
【００６４】
ステップＳ３−５
ＡＤＦ読取部１１（図２）は、原稿読み取りを開始する。
【００６５】
ステップＳ３−６
ＡＤＦ読取部１１（図２）は、読み取った画像データを記憶部１８（図２）に格納してステップＳ３−１９（後記する）へ進む。
【００６６】
ステップＳ３−７
Ｍａｎｕａｌ  Ｆｅｅｄボタン１３ｇが押下されるとＬＣＤ１３ａ（図２）に表示されているガイダンス（Ｓ１−９）（図４）にＭａｎｕａｌ  Ｆｅｅｄボタン１３ｇ押下の印が点灯する。
【００６７】
ステップＳ３−８
ＡＤＦ原稿検出手段２０ｃ（図２）は、原稿検出センサ１１ｂ（図１）を監視しＡＤＦ読取部１１（図２）に原稿がセットされているか否かを検出する。
【００６８】
ステップＳ３−９
ＡＤＦ読取部１１（図２）に原稿がセットされている場合にはステップＳ３−１０へ進み、セットされていない場合にはステップＳ３−１３へ進む。
【００６９】
ステップＳ３−１０
ＡＤＦ読取部１１（図２）はモータ１１ｅ（図１）を起動して原稿を１枚ずつフィードして原稿読み取りを開始する。
【００７０】
ステップＳ３−１１
ＡＤＦ読取部１１（図２）は読み取った画像データを読み取り順に記憶部１８（図２）へ格納する。
【００７１】
ステップＳ３−１２
ＡＤＦ読取部１１（図２）にセットされていた全てのページ原稿の読み取りが終了すると一定時間後にモータ１１ｅ（図１）は停止する。ここでは（Ｓ１−１０）（図４）のガイダンスがＬＣＤ１３ａ（図２）に表示される。
【００７２】
ステップＳ３−１３
ＡＤＦ原稿検出手段２０ｃ（図２）がＡＤＦ読取部１１（図２）には原稿がセットされていないことを認識するとＦｌａｔｂｅｔ読取開始手段２０ｄは、Ｆｌａｔｂｅｔ読取部１２（図２）に原稿読み取りを開始させる。
【００７３】
ステップＳ３−１４
Ｆｌａｔｂｅｔ読取部１２（図２）は、読み取った画像データを読み取り順に記憶部１８（図２）へ格納する。
【００７４】
ステップＳ３−１５
Ｆｌａｔｂｅｔ読取部１２（図２）は、読み取りを終了する。ここでは（Ｓ１−１０）（図４）のガイダンスがＬＣＤ１３ａ（図２）に表示される。
【００７５】
ステップＳ３−１６
読み取り終了後にＬＣＤ１３ａ（図２）に例えば図４の（Ｓ１−１１）に示す、次ページ原稿をセットしてＭａｎｕａｌ  Ｆｅｅｄボタン１３ｇ（図１）を押下する旨のメッセージが表示される。
【００７６】
ステップＳ３−１７
次ページ原稿がある場合にはステップＳ３−２１へ進み、無い場合にはステップＳ３−１８へ進む。
【００７７】
ステップＳ３−１８
操作者がＳｔａｒｔボタン１３ｅ（図１）を押下する。
【００７８】
ステップＳ３−１９
ＦＡＸデータ作成手段１９ｄ（図２）は、記憶部１８（図２）から画像データを読み出して、ファクシミリ送信をするため、ＦＡＸデータに変換する。
【００７９】
ステップＳ３−２０
送信制御手段１９ａ（図２）は、所定の宛先にＦＡＸ送信する。
【００８０】
ステップＳ３−２１
次ページ原稿をＡＤＦ読取部１１（図２）またはＦｌａｔｂｅｄ読取部１２（図２）にセットする。
【００８１】
ステップＳ３−２２
操作者がＬＣＤ１３ａ（図２）のＭａｎｕａｌ  Ｆｅｅｄボタン１３ｇ（図１）を押下してステップＳ３−８へ戻る。
【００８２】
ステップＳ３−２３
フローは終了し、待機状態へ戻る。
【００８３】
（効果）の説明
以上説明したように、本実施例によれば、ＡＤＦ読取原稿とＦａｔｂｅｄ読取原稿との混在処理を可能になるため、例えば、Ｆａｔｂｅｄ読取原稿の処理中にＡＤＦ読取原稿の処理を含めたい場合には、その原稿をわざわざＦａｔｂｅｄ読取部にセットする必要がなくなり使い勝手が更に向上するという効果を得る。
【実施例４】
【００８４】
本実施例では、ＡＤＦ読取原稿とＦａｔｂｅｄ読取原稿とを混在処理する場合において、例えば、Ａ４原稿４ページ分をＡ４原稿１ページに集約する、等の集約規定に基づいてＦＡＸ送信することを可能にする。
【００８５】
図７は、実施例４の汎用複合機の構成のブロック図である。
図に示すように、実施例４の汎用複合機２００は、ＡＤＦ読取部１１と、Ｆｌａｔｂｅｔ読取部１２と、オペレーションパネル１３と、データ送受信部１７と、記憶部１８と、ＦＡＸ制御部１９と、制御部３０を備える。以下に実施例１〜実施例３までとの相違部分のみについて説明する。実施例１〜実施例３までと同様の部分については実施例１〜実施例３までと同一の符号を付して説明を省略する。
【００８６】
制御部３０は、図示しないＲＯＭとマイクロプロセッサとを有し、ＲＯＭに予め格納されている所定の制御プログラムを実行することによって汎用複合機２００全体の制御を行う部分である。その内部に、ガイダンス表示手段２０ａと、送受信選択手段２０ｂと、ＡＤＦ原稿検出手段２０ｃと、Ｆｌａｔｂｅｄ読取開始手段２０ｄと、集約設定手段３０ａと、集約編集手段３０ｂとを有する。
【００８７】
集約設定手段３０ａは、オペレーションパネル１３（図１）を介して操作者が入力する集約規定を記憶している手段である。集約編集手段３０ｂは、Ｆｌａｔｂｅｄ読取部１２、及びＡＤＦ読取部１１の読取順番で構成された複数ページからなる１つのＦＡＸジョブを生成する際に、記憶部１８に格納されている画像データを編集し、Ａ４原稿２ページ分をＡ４原稿１ページに集約したり、Ａ４原稿４ページ分をＡ４原稿１ページ分に集約したりする手段である。他の部分は、全て、実施例１〜実施例３の構成部分と同様なので説明を省略する。以上説明した実施例４の汎用複合機２００は以下のように動作する。
【００８８】
（動作）の説明
図８は、実施例４の動作を示すフローチャートである。
実施例４の動作について図８のステップＳ４−１からステップＳ４−２５まで、図７を併用しながらステップ順に説明する。
【００８９】
ステップＳ４−１
汎用複合機２００は待機状態であってＬＣＤ１３ａ（図７）には（Ｓ１−１）（図４）のガイダンスが表示されている。
【００９０】
ステップＳ４−２
操作者がＡＤＦ読取部１１（図７）に原稿をセットする。
【００９１】
ステップＳ４−３
操作者がオペレーションパネル１３（図１）を介して集約規定を入力する。
ステップＳ４−４
操作者がＬＣＤ１３ａ（図７）のＭａｎｕａｌ  Ｆｅｅｄボタン１３ｇ（図１）を押下するとステップＳ４−８へ進み、押下しない場合にはステップＳ４−５へ進む。
【００９２】
ステップＳ４−５
操作者がＳｔａｒｔボタン１３ｅ（図１）を押下する。
【００９３】
ステップＳ４−６
ＡＤＦ読取部１１（図７）は、原稿読み取りを開始する。
【００９４】
ステップＳ４−７
ＡＤＦ読取部１１（図７）は、読み取った画像データを記憶部１８（図７）に格納してステップＳ４−２０（後記する）へ進む。
【００９５】
ステップＳ４−８
Ｍａｎｕａｌ  Ｆｅｅｄボタン１３ｇが押下されるとＬＣＤ１３ａ（図７）に表示されているガイダンス（Ｓ１−９）（図４）にＭａｎｕａｌ  Ｆｅｅｄボタン１３ｇ押下の印が点灯する。
【００９６】
ステップＳ４−９
ＡＤＦ原稿検出手段２０ｃは（図７）は、原稿検出センサ１１ｂ（図１）を監視しＡＤＦ読取部１１（図７）に原稿がセットされているか否かを検出する。
【００９７】
ステップＳ４−１０
ＡＤＦ読取部１１（図７）に原稿がセットされている場合にはステップＳ４−１１へ進み、セットされていない場合にはステップＳ４−１４へ進む。
【００９８】
ステップＳ４−１１
ＡＤＦ読取部１１（図７）はモータ１１ｅ（図１）を起動して原稿を１枚ずつフィードして原稿読み取りを開始する。
【００９９】
ステップＳ４−１２
ＡＤＦ読取部１１（図７）は読み取った画像データを読み取り順に記憶部１８（図７）へ格納する。
【０１００】
ステップＳ４−１３
ＡＤＦ読取部１１（図７）にセットされていた全ての原稿の読み取りが終了すると一定時間後にモータ１１ｅ（図１）は停止する。
【０１０１】
ステップＳ４−１４
ＡＤＦ原稿検出手段２０ｃ（図７）がＡＤＦ読取部１１（図７）には原稿がセットされていないことを認識するとＦｌａｔｂｅｔ読取開始手段２０ｄは、Ｆｌａｔｂｅｔ読取部１２（図２）に原稿読み取りを開始させる。
【０１０２】
ステップＳ４−１５
Ｆｌａｔｂｅｔ読取部１２（図７）は、読み取った画像データを読み取り順に記憶部１８（図７）へ格納する。
【０１０３】
ステップＳ４−１６
Ｆｌａｔｂｅｔ読取部１２（図７）は、読み取りを終了する。
【０１０４】
ステップＳ４−１７
読み取り終了後にＬＣＤ１３ａ（図７）に例えば図４の（Ｓ１−１１）に示す、次原稿をセットしてＭａｎｕａｌ  Ｆｅｅｄボタン１３ｇ（図１）を押下する旨のメッセージが表示される。
【０１０５】
ステップＳ４−１８
次原稿がある場合にはステップＳ４−２３へ進み、無い場合にはステップＳ４−１９へ進む。
【０１０６】
ステップＳ４−１９
操作者がＳｔａｒｔボタン１３ｅ（図１）を押下する。
【０１０７】
ステップＳ４−２０
集約編集手段３０ｂ（図７）は、記憶部１８（図７）に格納されている画像データを集約設定に基づいて編集する。
【０１０８】
ステップＳ４−２１
ＦＡＸデータ作成手段１９ｄ（図７）は、記憶部１８（図７）から画像データを読み出して、ファクシミリ送信をするため、ＦＡＸデータに変換する。
【０１０９】
ステップＳ４−２２
送信制御手段１９ａ（図７）は、所定の宛先にＦＡＸ送信する。
【０１１０】
ステップＳ４−２３
次原稿をＡＤＦ読取部１１（図７）またはＦｌａｔｂｅｄ読取部１２（図７）にセットする。
【０１１１】
ステップＳ４−２４
操作者がＬＣＤ１３ａ（図７）のＭａｎｕａｌ  Ｆｅｅｄボタン１３ｇ（図１）を押下してステップＳ４−９へ戻る。
【０１１２】
ステップＳ４−２５
フローは終了し、待機状態へ戻る。
【０１１３】
（効果）の説明
以上説明したように、本実施例によれば、ＡＤＦ読取原稿とＦｌａｔｂｅｄ読取原稿が混在した場合においても、集約設定に基づいて、ＦＡＸ送信することを可能としたため、通信時間が短縮されるという効果を得る。また、受信機側においても集約した原稿を印刷できるので、印刷枚数が削減できるという効果を得る。
【産業上の利用可能性】
【０１１４】
この提案書の利用形態は、ＡＤＦ読取部とＦｌａｔｂｅｄ読取部を備え、Ｓｃａｎ  ｔｏ  Ｅ−ｍａｉｌ  、Ｓｃａｎ  ｔｏ  Ｆｏｌｄｅｒ、ＦＡＸ、コピー機能を有する画像読取装置に置いても、利用可能である。
【図面の簡単な説明】
【０１１５】
【図１】本発明による画像処理装置の外観図である。
【図２】実施例１の汎用複合機の構成のブロック図である。
【図３】実施例１の動作を示すフローチャートである。
【図４】実施例１の動作に対応するＬＣＤ表示の説明図である。
【図５】実施例２の動作を示すフローチャートである。
【図６】実施例３の動作を示すフローチャートである。
【図７】実施例４の汎用複合機の構成のブロック図である。
【図８】実施例４の動作を示すフローチャートである。
【符号の説明】
【０１１６】
１１  ＡＤＦ読取部
１１ａ  読取センサ
１２  Ｆｌａｔｂｅｄ読取部
１２ｂ  読取センサ
１３  オペレーションパネル
１３ａ  ＬＣＤ
１７  データ送受信部
１８  記憶部
１９  ＦＡＸ制御部
１９ａ  送信制御手段
１９ｂ  受信制御手段
１９ｃ  回線捕捉手段
１９ｄ  ＦＡＸデータ作成手段
２０  制御部
２０ａ  ガイダンス表示手段
２０ｂ  送受信選択手段
２０ｃ  ＡＤＦ原稿検出手段
２０ｄ  Ｆｌａｔｂｅｄ読取開始手段
２４  電話回線
２５  外付け電話機
４０  印刷装置
４１  印刷部
４２  データ送受信部
４３  制御部
【図１】
2008199078.tif 000003
【図２】
2008199078.tif 000004
【図３】
2008199078.tif 000005
【図４】
2008199078.tif 000006
【図５】
2008199078.tif 000007
【図６】
2008199078.tif 000008
【図７】
2008199078.tif 000009
【図８】
2008199078.tif 000010